(57)【要約】      （修正有）【課題】複数の読み方を有する語句に対する読み方を指定するための操作を簡単にする。【解決手段】変換方法は、特定の語句に異なる複数の読み方を対応付けて格納するデータ格納部を有する情報処理装置により実行され、（Ａ）入力された文字を条件としてデータ格納部を検索して特定の語句が抽出されると、データ格納部から特定の語句に対応付けられている複数の読み方を読み出す処理と、（Ｂ）特定の語句と、読み出された複数の読み方との対応付けを表示する表示処理と、（Ｃ）複数の読み方のうちいずれかの読み方がユーザにより選択されると、特定の語句と、選択された読み方を指定するための情報とを出力する処理とを含む。【選択図】図１７
2014191587.tif 000002
【特許請求の範囲】
【請求項１】
特定の語句に異なる複数の読み方を対応付けて格納するデータ格納部を有する情報処理装置に、
入力された文字を条件として前記データ格納部を検索して前記特定の語句が抽出されると、前記データ格納部から前記特定の語句に対応付けられている前記複数の読み方を読み出す処理と、
前記特定の語句と、読み出された前記複数の読み方との対応付けを表示する表示処理と、
前記複数の読み方のうちいずれかの読み方がユーザにより選択されると、前記特定の語句と、選択された前記読み方を指定するための情報とを出力する処理と
を実行させるためのプログラム。
【請求項２】
前記データ格納部において前記複数の読み方の各々に優先度が定められている場合に、前記表示処理において、前記優先度に基づいて前記複数の読み方を表示する
請求項１記載のプログラム。
【請求項３】
更に、
メールの宛先の入力又は選択を受け付け、
前記宛先に基づいて、前記各処理を行うか否かを判定する
請求項１又は２記載のプログラム。
【請求項４】
更に、
前記宛先に基づいて検索対象となる前記データ格納部を特定する
請求項３記載のプログラム。
【請求項５】
特定の語句に異なる複数の読み方を対応付けて格納するデータ格納部を有する情報処理装置により実行される変換方法であって、
入力された文字を条件として前記データ格納部を検索して前記特定の語句が抽出されると、前記データ格納部から前記特定の語句に対応付けられている前記複数の読み方を読み出す処理と、
前記特定の語句と、読み出された前記複数の読み方との対応付けを表示する表示処理と、
前記複数の読み方のうちいずれかの読み方がユーザにより選択されると、前記特定の語句と、選択された前記読み方を指定するための情報とを出力する処理と
を含む変換方法。
【請求項６】
特定の語句に異なる複数の読み方を対応付けて格納するデータ格納部と、
入力された文字を条件として前記データ格納部を検索して前記特定の語句が抽出されると、前記データ格納部から前記特定の語句に対応付けられている前記複数の読み方を読み出す読み出し部と、
前記特定の語句と、読み出された前記複数の読み方との対応付けを表示する表示部と、
前記複数の読み方のうちいずれかの読み方がユーザにより選択されると、前記特定の語句と、選択された前記読み方を指定するための情報とを出力する出力部と
を有する情報処理装置。
【発明の詳細な説明】
【技術分野】
【０００１】
本技術は、文字の変換技術に関する。
【背景技術】
【０００２】
ある特許文献には、音声合成により読み上げられることを前提とした文書を編集する技術が開示されている。ユーザが文書に含まれる単語の読み方を指定しようとする場合、括弧で囲んだ読み方を当該単語の後ろに挿入する。
【０００３】
そして、文書に基づいて音声を合成する段階で、読み上げようとする単語の後ろに括弧で囲まれた読み仮名がある場合には、その読み仮名に従って韻律記号を特定する。このように処理することによって、編集段階で指定された読み方に従って、文書が読み上げられるようになる。
【０００４】
上記特許文献は、括弧で囲んだ読み方を当該単語の後ろに挿入するように文書を編集するツールとして、通常のエディタを用いることを示唆している。
【０００５】
しかし、通常のエディタを用いて単語の読み仮名を挿入する操作は煩わしい。例えば、一般的でない読み方を有する語句に対して頻繁に読み仮名を打ち込むことは、面倒である。
【先行技術文献】
【特許文献】
【０００６】
【特許文献１】特開２００３−２０８１９１号公報
【特許文献２】特開２００３−５８１７７号公報
【発明の概要】
【発明が解決しようとする課題】
【０００７】
本技術の目的は、一側面では、複数の読み方を有する語句に対する読み方を指定するための操作を簡単にすることを目的とする。
【課題を解決するための手段】
【０００８】
一態様の変換方法は、特定の語句に異なる複数の読み方を対応付けて格納するデータ格納部を有する情報処理装置により実行され、（Ａ）入力された文字を条件としてデータ格納部を検索して特定の語句が抽出されると、データ格納部から特定の語句に対応付けられている複数の読み方を読み出す処理と、（Ｂ）特定の語句と、読み出された複数の読み方との対応付けを表示する表示処理と、（Ｃ）複数の読み方のうちいずれかの読み方がユーザにより選択されると、特定の語句と、選択された読み方を指定するための情報とを出力する処理とを含む。
【発明の効果】
【０００９】
一側面においては、複数の読み方を有する語句に対する読み方を指定するための操作が簡単になる。
【図面の簡単な説明】
【００１０】
【図１】図１は、メールの本文データの例を示す図である。
【図２】図２は、アドレス帳データの例を示す図である。
【図３】図３は、読み指定用学習辞書の例を示す図である。
【図４】図４は、読み指定用学習辞書の例を示す図である。
【図５】図５は、メール編集画面の例を示す図である。
【図６】図６は、メール編集画面の例を示す図である。
【図７】図７は、メール編集画面の例を示す図である。
【図８】図８は、メール編集画面の例を示す図である。
【図９】図９は、メール編集画面の例を示す図である。
【図１０】図１０は、メール編集画面の例を示す図である。
【図１１】図１１は、携帯電話端末のハードウエア構成例を示す図である。
【図１２】図１２は、携帯電話端末のモジュール構成例を示す図である。
【図１３】図１３は、全体処理フローの例を示す図である。
【図１４】図１４は、本文設定処理フローの例を示す図である。
【図１５】図１５は、かな漢字変換部と辞書格納部とのモジュール構成例を示す図である。
【図１６】図１６は、かな漢字変換処理フローの例を示す図である。
【図１７】図１７は、候補抽出処理フローの例を示す図である。
【図１８】図１８は、候補変換処理フローの例を示す図である。
【図１９】図１９は、標準変換処理フローの例を示す図である。
【図２０】図２０は、題名設定処理フローの例を示す図である。
【発明を実施するための形態】
【００１１】
自動読み上げ機能に対応したメールの本文データについて説明する。図１に、メールの本文データの例を示す。図１の第１行目には、「＜読み指定  読み＝しろいし＞白石＜／読み指定＞駅の改札で会いましょう。（改行コード）」のデータが示されている。「＜読み指定  読み＝しろいし＞」は、読み指定開始タグである。読み指定開始タグは、「＜読み指定」と「＞」とのコードによって特定される。読み指定開始タグのうち、「読み＝しろいし」は読み方「しろいし」を示している。「＜／読み指定＞」は、読み指定終了タグである。読み指定開始タグと読み指定終了タグとに囲まれた文字列が、読み方を指定された語句である。この例では、「白石」が読み方を指定された語句である。
【００１２】
「駅の改札で会いましょう。」は、読みを指定されていない文字列である。「（改行コード）」は、改行を示す制御コードに相当する。
【００１３】
図１の第２行目には、「＜読み指定  読み＝あいてぃー＞ＩＴ＜／読み指定＞コンサルタント青木」のデータが示されている。「＜読み指定  読み＝あいてぃー＞」は、読み指定開始タグである。読み指定開始タグのうち、「読み＝あいてぃー」は読み方「あいてぃー」を示している。この例では、「ＩＴ」が読み方を指定された語句である。
【００１４】
「コンサルタント青木」は、読みを指定されていない文字列である。本実施の形態では、この本文データを編集する例を示す。以上で、メールの本文データについての説明を終える。
【００１５】
次に、本実施の形態に係るアドレス帳データについて説明する。図２に、アドレス帳データの例を示す。アドレス帳データは、通信相手に対応するレコードを有している。レコードは、名前と、メールアドレスと、読み指定要否と、読み指定用学習辞書ＩＤとのフィールドを有している。名前のフィールドには、通信相手の名前が設定される。メールアドレスのフィールドには、通信相手のメールアドレスが設定される。読み指定要否のフィールドには、通信相手へ送るメールに読み指定を含めるか否かが設定される。読み指定用学習辞書ＩＤのフィールドには、通信相手へ送るメールを編集する際に用いられる読み指定用学習辞書を特定するＩＤが設定される。読み指定用学習辞書には、読み指定される語句の候補が格納されている。
【００１６】
例えば、図２に示したアドレス帳データのうち第１レコードは、名前が「山田さん」である通信相手のメールアドレスが「yamada@abc.jp」であり、通信相手「山田さん」に送るメールには読み指定を含めることを意味している。また、通信相手「山田さん」へ送るメールを編集する際に用いられる読み指定用学習辞書は、ＩＤ「Ａ」によって特定されることを示している。
【００１７】
例えば、図２に示したアドレス帳データのうち第２レコードは、名前が「鈴木さん」である通信相手のメールアドレスが「suzuki@xyz.jp」であり、通信相手「鈴木さん」に送るメールには読み指定を含めることを意味している。また、通信相手「鈴木さん」へ送るメールを編集する際に用いられる読み指定用学習辞書は、ＩＤ「Ｂ」によって特定されることを示している。
【００１８】
例えば、図２に示したアドレス帳データのうち第３レコードは、名前が「中村さん」である通信相手のメールアドレスが「nakamura@stu.jp」であり、通信相手「中村さん」に送るメールには読み指定を含めないことを意味している。読み指定用学習辞書は用いられないのでＩＤは設定されていない。以上で、アドレス帳データについての説明を終える。
【００１９】
次に、読み指定用学習辞書について説明する。図３に、読み指定用学習辞書の例を示す。読み指定用学習辞書は、語句に対応するレコードを有している。レコードは、語句と、読み方と、優先順位とのフィールドを有している。語句のフィールドには、読み指定される語句の候補が設定される。読み方のフィールドには、当該語句に指定される読み方が設定される。この例の読み方は、平仮名で記載されているが、カタカナでもよい。優先順位のフィールドには、同じ語句が複数格納されている場合の優先順位が設定される。優先順位は、当該読み方が優先される順位を示している。但し、優先順位は優先度を示す形態の一つであり、他の形態によって優先度を示すようにしてもよい。例えば、「高い」と「普通」と「低い」とのようにレベルによって優先度を特定するようにしてもよい。
【００２０】
尚、図３に示した読み指定用学習辞書は、前述した読み指定用学習辞書ＩＤ「Ａ」で識別される。つまり、この読み指定用学習辞書は、通信相手の「山田さん」宛に送信するメールを編集する際に用いられる読み指定用学習辞書である。
【００２１】
例えば、図３に示した読み指定用学習辞書のうち第１レコードは、「ＩＴ」の語句に対する読み方が「あいてぃー」であり、この読み方について優先順位は設定されていないことを示している。
【００２２】
図３に示した読み指定用学習辞書のうち第２レコードは、「白石」の語句に対する読み方が「しらいし」であり、この読み方について優先順位は「２」であることを示している。
【００２３】
図３に示した読み指定用学習辞書のうち第３レコードは、「後志」の語句に対する読み方が「しりべし」であり、この読み方について優先順位は設定されていないことを示している。
【００２４】
図３に示した読み指定用学習辞書のうち第４レコードは、「白石」の語句に対する読み方が「しろいし」であり、この読み方について優先順位は「１」であることを示している。
【００２５】
この例で、語句「白石」に対して読み方が２つ設定されている。そして、読み方「しらいし」の優先順位は２であり、読み方「しろいし」の優先順位は１である。従って、「白石」の語句を入力する際に、候補となる読み方として「しろいし」が優先されることになる。
【００２６】
図４に、別の読み指定用学習辞書の例を示す。図４に示した読み指定用学習辞書は、図３に示した読み指定用学習辞書と同様の構成を有している。
【００２７】
この読み指定用学習辞書は、前述した読み指定用学習辞書ＩＤの「Ｂ」で特定される。つまり、この読み指定用学習辞書は、通信相手の「鈴木さん」宛に送信するメールを編集する場合に用いられる読み指定用学習辞書である。
【００２８】
例えば、図４に示した読み指定用学習辞書のうち第１レコードは、「白石」の語句に対する読み方が「しらいし」であり、この読み方について優先順位は「１」であることを示している。
【００２９】
図４に示した読み指定用学習辞書のうち第２レコードは、「白石」の語句に対する読み方が「しろいし」であり、この読み方について優先順位は「２」であることを示している。
【００３０】
図４に示した読み指定用学習辞書のうち第３レコードは、「銀鏡」の語句に対する読み方が「しろみ」であり、この読み方について優先順位は設定されていないことを示している。
【００３１】
この例でも、語句「白石」に対して読み方が２つ設定されている。但し、読み方「しらいし」の優先順位は１であり、読み方「しろいし」の優先順位は２である。図３に示した読み指定用学習辞書の例とは反対に、「白石」の語句を入力する際に、候補となる読み方として「しらいし」が優先されることになる。
【００３２】
本実施の形態では、前述の通り通信相手によって読み指定用学習辞書を使い分ける。上述の例によれば、通信相手の「山田さん」宛に送信するメールを編集する際には、「白石」の語句に対して「しろいし」の読み方が優先されるが、通信相手の「鈴木さん」に送るメールを編集する際には、「白石」の語句に対して「しらいし」の読み方が優先されることになる。以上で、読み指定用学習辞書についての説明を終える。
【００３３】
次に、図５乃至図１０に示したメール編集画面に従って、本実施の形態に係るメール編集の概要について説明する。図５に、メール編集画面５００の例を示す。メール編集画面５００は、宛先ボックス５０１、題名ボックス５０３、本文ボックス５０５、候補ボックス５０７、取消ボタン５０９及び送信ボタン５１１を有している。
【００３４】
宛先ボックス５０１は、ユーザにより入力され、あるいは選択されたメールの宛先を表示するためのエリアである。題名ボックス５０３は、ユーザにより入力されたメールの題名のデータを表示するためのエリアである。本文ボックス５０５は、ユーザにより入力されたメールの本文のデータを表示するためのエリアである。候補ボックス５０７は、ユーザにより入力されたかな文字あるいはかな文字列により特定される語句と読み方とを組み合わせた候補を表示するためのエリアである。取消ボタン５０９は、メールの編集を取り止めることを指示するためのボタンである。送信ボタン５１１は、メールを送信することを指示するためのボタンである。
【００３５】
図５に示したメール編集画面５００は、ユーザが、通信相手の「山田さん」宛に送信するメールを編集し始めた状態を示している。宛先ボックス５０１には、通信相手の「山田さん」のメールアドレス「yamada@abc.jp」が表示されている。題名ボックス５０３には、未だ何も入力されていない。本文ボックス５０５にも、未だ何も入力されていない。また、候補ボックス５０７には、何も表示されていない。
【００３６】
図６に、図５の状態から遷移したメール編集画面５００の例を示す。図６に示したメール編集画面５００は、本文ボックス５０５がフォーカスされ、ユーザによって文字「し」が入力された状態を示している。
【００３７】
宛先ボックス５０１には、図５に示したメール編集画面５００と同様に、通信相手の「山田さん」のメールアドレス「yamada@abc.jp」が表示されている。題名ボックス５０３には、未だ何も入力されていない。本文ボックス５０５には、未確定のかな文字「し」が表示されている。文字「し」に付されている下線は、当該文字が未確定の状態であることを示している。
【００３８】
候補ボックス５０７には、文字「し」に対して前方一致する読み方を有する語句とその読み方との組み合わせが表示されている。また、同じ語句について複数の読み方がある場合には、優先順位も表示されている。
【００３９】
図６に示したメール編集画面５００の例では、「白石（１）『しろいし』」と「白石（２）『しらいし』」と「後志『しりべし』」との組み合わせが表示されている。先頭の語句は、変換候補を示し、かぎ括弧で囲まれたかな文字あるいはかな文字列は、読み方を示している。また、丸括弧で囲まれた数字がある場合には、優先順位を示している。丸括弧で囲まれた数字がない場合には、優先順位が設定されていないことを示している。
【００４０】
第１の組み合わせ「白石（１）『しろいし』」は、読み方が「しろいし」である変換候補の語句「白石」について、その読み方の優先順位が１番であることを示している。
【００４１】
第２の組み合わせ「白石（２）『しらいし』」は、読み方が「しらいし」である変換候補の語句「白石」について、その読み方の優先順位が２番であることを示している。
【００４２】
第３の組み合わせ「後志『しりべし』」は、読み方が「しりべし」である変換候補の語句「後志」については、読み方の優先順位が設定されていないことを示している。
【００４３】
図７に、図６の状態から遷移したメール編集画面５００の例を示す。図７に示したメール編集画面５００は、前述の第１乃至第３の組み合わせのうち、第１の組み合わせをユーザが選択した結果の状態を示している。
【００４４】
宛先ボックス５０１には、図６に示したメール編集画面５００と同様に、通信相手の「山田さん」のメールアドレス「yamada@abc.jp」が表示されている。題名ボックス５０３には、未だ何も入力されていない。
【００４５】
本文ボックス５０５には、「白石（読み：しろいし）」が表示されている。「白石（読み：しろいし）」は、変換された結果であり、確定した状態にある。この例は、語句「白石」が本文データに加えられ、その読み方として「しろいし」が指定されていることを示している。候補ボックス５０７には、図６のメール編集画面５００で示した組み合わせ群は消去され、この時点では何も表示されていない。
【００４６】
図８に、図７の状態から遷移したメール編集画面５００の例を示す。図８に示したメール編集画面５００は、ユーザが入力操作を続け、第１文に続いて文字「あ」が入力された状態を示している。
【００４７】
宛先ボックス５０１には、図７に示したメール編集画面５００と同様に、通信相手の「山田さん」のメールアドレス「yamada@abc.jp」が表示されている。題名ボックス５０３には、未だ何も入力されていない。
【００４８】
本文ボックス５０５には、第１文「白石（読み：しろいし）駅の改札で会いましょう。」と改行に続いて、未確定のかな文字「あ」が表示されている。文字「あ」に付されている下線は、当該文字が未確定の状態であることを示している。
【００４９】
候補ボックス５０７には、文字「あ」に対して前方一致する読み方を有する語句とその読み方とが表示されている。  図８に示したメール編集画面５００の例では、「ＩＴ『あいてぃー』」の組み合わせが表示されている。この組み合わせは、読み方が「あいてぃー」である変換候補の語句「ＩＴ」を示している。優先順位は、示されていない。
【００５０】
図９に、図８の状態から遷移したメール編集画面５００の例を示す。図９に示したメール編集画面５００は、「ＩＴ『あいてぃー』」の組み合わせが選択され、更に最後まで本文データの入力を受け付けた状態を示している。
【００５１】
宛先ボックス５０１には、図８に示したメール編集画面５００と同様に、通信相手の「山田さん」のメールアドレス「yamada@abc.jp」が表示されている。題名ボックス５０３には、未だ何も入力されていない。
【００５２】
本文ボックス５０５には、「白石（読み：しろいし）駅の改札で会いましょう。」の文と「ＩＴ（読み：あいてぃー）コンサルタント青木」の文字列が表示されている。候補ボックス５０７には、何も表示されていない。
【００５３】
この後、ユーザが題名ボックス５０３に題名を入力し、送信ボタン５１１を選択すると、メール編集画面５００で編集したメールが送信される。取消ボタン５０９が選択された場合には、メール編集画面５００で編集したメールが破棄される。
【００５４】
図１０に、別のメール編集画面５００の例を示す。図１０に示したメール編集画面５００は、ユーザが、通信相手の「鈴木さん」宛に送信するメールを編集し始めた状態を示している。
【００５５】
図１０に示したメール編集画面５００は、図６に示したメール編集画面５００と同様に、本文ボックス５０５がフォーカスされ、ユーザによって文字「し」が入力された状態を示している。
【００５６】
宛先ボックス５０１には、通信相手の「鈴木さん」のメールアドレス「suzuki@xyz.jp」が表示されている。題名ボックス５０３には、未だ何も入力されていない。本文ボックス５０５には、未確定のかな文字「し」が表示されている。文字「し」に付されている下線は、当該文字が未確定の状態であることを示している。
【００５７】
候補ボックス５０７には、文字「し」に対して前方一致する読み方を有する語句とその読み方との組み合わせが表示されている。図１０に示したメール編集画面５００の例では、「白石（１）『しらいし』」と「白石（２）『しろいし』」と「銀鏡『しろみ』」との組み合わせが表示されている。
【００５８】
第１の組み合わせ「白石（１）『しらいし』」は、読み方が「しらいし」である変換候補の語句「白石」について、その読み方の優先順位が１番であることを示している。
【００５９】
第２の組み合わせ「白石（２）『しろいし』」は、読み方が「しろいし」である変換候補の語句「白石」について、その読み方の優先順位が２番であることを示している。
【００６０】
第３の組み合わせ「銀鏡『しろみ』」は、読み方が「しろみ」である変換候補の語句「銀鏡」について、読み方の優先順位が設定されていないことを示している。
【００６１】
図１０に示したメール編集画面５００の例で示す優先順位は、図６に示したメール編集画面５００の例における優先順位と異なる。この差異は、図３に示した読み指定用学習辞書と図４に示した読み指定用学習辞書との違いに起因している。以上で、メール編集の概要についての説明を終える。
【００６２】
次に、上述したメールの編集と送信を行う携帯電話端末のハードウエア構成について説明する。図１１に、携帯電話端末１１００のハードウエア構成例を示す。携帯電話端末１１００は、プロセッサ１１０１、記憶部１１０３、アンテナ１１１１、無線制御部１１１３、オーディオ制御部１１１５、スピーカ１１１７、マイク１１１９、ディスプレイ１１２１、タッチパッド１１２３及びキー群１１２５を有している。
【００６３】
プロセッサ１１０１は、モデムＣＰＵ（Central Processing Unit）とアプリケーションＣＰＵからなることもある。記憶部１１０３は、例えば、ＲＯＭ（Read Only Memory）１１０５とＲＡＭ（Random Access Memory）１１０７とフラッシュメモリ１１０９を有している。ＲＯＭ１１０５は、例えば、アプリケーションなどのプログラムや予め設定されているデータを格納している。ＲＡＭ１１０７は、例えば、アプリケーションなどのプログラムを展開する領域を含んでいる。ＲＡＭ１１０７は、一時的なデータを格納する領域も含んでいる。フラッシュメモリ１１０９は、例えば、予め設定されているデータや保持すべきデータを格納する。
【００６４】
タッチパッド１１２３は、例えば、ディスプレイ１１２１の表示画面上に配置されたパネル状のセンサであり、タッチ操作による指示を受け付ける。ディスプレイ１１２１は、例えば、アプリケーションが表示させる各種画面を表示する。具体的には、ディスプレイ１１２１とタッチパッド１１２３とを一体としたタッチパネルとして用いられる。タッチパッド１１２３へのタッチ操作によって、タッチイベントが発生する。タッチパッド１１２３は、ポインティングデバイス（位置入力装置）の例である。キー群１１２５の各ハードキーは、筐体の一部に設けられている。
【００６５】
かな文字や各指示は、例えばタッチパネル上のソフトキーやボタンへの操作によって入力される。あるいは、かな文字や各指示は、キー群１１２５への操作によって入力されるようにしてもよい。
【００６６】
アンテナ１１１１は、例えば、セルラー方式、無線ＬＡＮ（Local Area Network）、近距離通信方式などの無線データを受信する。無線制御部１１１３は、無線通信の制御を行う。無線通信の制御により、電話の音声通信やメールのデータ通信が行われる。
【００６７】
オーディオ制御部１１１５は、音データに関するアナログ／デジタル変換とデジタル／アナログ変換を行う。スピーカ１１１７は、アナログデータを音として出力する。マイク１１１９は、音をアナログデータに変換する。以上で、携帯電話端末１１００のハードウエア構成についての説明を終える。
【００６８】
次に、携帯電話端末１１００のモジュールについて説明する。図１２に、携帯電話端末１１００のモジュール構成例を示す。携帯電話端末１１００は、メール編集部１２０１、アドレス帳記憶部１２０３、かな漢字変換部１２０５、辞書格納部１２０７、メール記憶部１２０９、表示部１２１１、送信部１２１３及びオペレーティングシステム１２１５を有する。
【００６９】
メール編集部１２０１は、イベント判定部１２２１、辞書判定部１２２３、宛先受付部１２２５、本文設定部１２２７及び題名設定部１２２９を有する。イベント判定部１２２１は、例えばオペレーティングシステム１２１５から発生したイベントを取得して、取得したイベントの種類を判定する。辞書判定部１２２３は、使用すべき学習辞書の種類を判定する。宛先受付部１２２５は、メールの宛先となるメールアドレスの入力、又は選択を受け付ける。本文設定部１２２７は、メールの本文のデータを設定する。題名設定部１２２９は、メールの題名のデータを設定する。
【００７０】
アドレス帳記憶部１２０３は、図２に示したようなアドレス帳を記憶する。かな漢字変換部１２０５は、入力されたかな文字あるいはかな文字列を漢字や英字などの語句に変換する。辞書格納部１２０７は、かな漢字変換に用いる辞書群を格納している。辞書群は、例えば通常の学習辞書、読み指定用学習辞書群及び標準辞書を含んでいる。
【００７１】
メール記憶部１２０９は、編集されたメールに関するデータを記憶する。メール記憶部１２０９は、宛先バッファ１２４１、本文バッファ１２４３及び題名バッファ１２４５を有する。宛先バッファ１２４１は、宛先のデータを記憶するバッファである。本文バッファ１２４３は、本文のデータを記憶するバッファである。題名バッファ１２４５は、題名のデータを記憶するバッファである。
【００７２】
表示部１２１１は、メール編集画面５００を表示する。具体的には、メール記憶部１２０９に記憶しているデータに基づいてメール編集画面５００を生成し、生成したメール編集画面５００をディスプレイ１１２１に表示させる。送信部１２１３は、編集したメールデータをインターネットに向けて送信する。オペレーティングシステム１２１５は、アプリケーションソフトが用いる基本機能を提供する。オペレーティングシステム１２１５は、各デバイスから取得したデータに基づくイベントも管理する。以上で、携帯電話端末１１００のモジュールについての説明を終える。
【００７３】
次に、携帯電話端末１１００による処理について説明する。図１３に、全体処理フローの例を示す。イベント判定部１２２１は、オペレーティングシステム１２１５から取得したイベントに基づいて、宛先ボックス５０１が選択されたか否かを判定する（Ｓ１３０１）。宛先ボックス５０１が選択されたと判定した場合には、宛先受付部１２２５は、宛先の入力、または選択を受け付ける（Ｓ１３０３）。具体的には、宛先受付部１２２５は、例えばメールアドレスとなるコード列の入力を受け付ける。あるいは、宛先受付部１２２５は、例えばアドレス帳記憶部１２０３に記憶されているメールアドレスの選択を促すメニューを表示し、選択されたメールアドレスを特定する。
【００７４】
更に、宛先受付部１２２５は、メールアドレスを宛先バッファ１２４１に記憶させ、表示部１２１１は、宛先バッファ１２４１に記憶されたメールアドレスをディスプレイ１１２１に表示させる。そして、Ｓ１３０１の処理に戻る。
【００７５】
一方、Ｓ１３０１において、宛先ボックス５０１が選択されていないと判定した場合には、イベント判定部１２２１は、オペレーティングシステム１２１５から取得したイベントに基づいて、本文ボックス５０５が選択されたか否かを判定する（Ｓ１３０５）。本文ボックス５０５が選択されたと判定した場合には、本文設定部１２２７は、本文設定処理を行う（Ｓ１３０７）。
【００７６】
本文設定処理について説明する。図１４に、本文設定処理フローの例を示す。辞書判定部１２２３は、宛先を受け付けているか否かを判定する（Ｓ１４０１）。具体的には、辞書判定部１２２３は、宛先バッファ１２４１にメールアドレスが記憶されているか否かを判定する。宛先バッファ１２４１にメールアドレスが記憶されている場合には、宛先を受け付けていると判定する。一方、宛先バッファ１２４１にメールアドレスが記憶されていない場合には、宛先を受け付けていないと判定する。
【００７７】
宛先を受け付けていないと判定した場合には、辞書判定部１２２３は、かな漢字変換部１２０５に対して通常の学習辞書を指定する（Ｓ１４０３）。通常の学習辞書は、通常モードにおいて用いられる学習辞書である。
【００７８】
一方、宛先を受け付けていると判定した場合には、辞書判定部１２２３は、読み指定要否が「要」であるか、あるいは「不要」であるかを判定する（Ｓ１４０５）。具体的には、辞書判定部１２２３は、アドレス帳記憶部１２０３で宛先に相当するメールアドレスを検索し、宛先である通信相手のレコードを抽出する。そして、辞書判定部１２２３は、当該レコードの読み指定要否を読み取る。
【００７９】
読み指定要否が「要」であると判定した場合には、辞書判定部１２２３は、かな漢字変換部１２０５に対して、使用すべき学習辞書の種類として「読み指定用学習辞書」を指定する（Ｓ１４０７）。具体的には、辞書判定部１２２３は、通信相手のレコードから読み取った読み指定用学習辞書ＩＤをかな漢字変換部１２０５へ渡す。
【００８０】
一方、読み指定要否が「不要」であると判定した場合には、辞書判定部１２２３は、かな漢字変換部１２０５に対して、使用すべき学習辞書の種類として「通常の学習辞書」を指定する（Ｓ１４０３）。
【００８１】
Ｓ１４０３又はＳ１４０７において、学習辞書が指定されると、かな漢字変換部１２０５によるかな漢字変換処理が起動される（Ｓ１４０９）。
【００８２】
かな漢字変換処理の説明の前に、かな漢字変換処理に関わるモジュール構成について説明する。図１５に、かな漢字変換部１２０５と辞書格納部１２０７とのモジュール構成例を示す。辞書格納部１２０７は、通常の学習辞書１５２１、読み指定用学習辞書１５２３群及び標準辞書１５２５を有する。通常の学習辞書１５２１は、読み指定を行わない場合において用いられる学習辞書である。読み指定用学習辞書１５２３は、図３と図４とに例示したように、読み指定を行う場合において用いられる学習辞書である。標準辞書１５２５は、かな文字又はかな文字列と、漢字あるいは英字などの語句との一般的な対応付けを含んでいる辞書である。
【００８３】
かな漢字変換部１２０５は、イベント受付部１５０１、受付文字バッファ１５０３、表示部１５０５、抽出部１５０７、読み出し部１５０９、候補変換部１５１１、標準変換部１５１３及び出力部１５１５を有する。イベント受付部１５０１は、かな漢字変換処理中に発生したイベントをオペレーティングシステム１２１５から受け付ける。受付文字バッファ１５０３は、イベント受付部１５０１で順次受け付けた文字コードを文字列として記憶するバッファである。表示部１５０５は、かな漢字変換処理中の表示を行う。抽出部１５０７は、学習辞書を用いて候補となる語句を抽出する。読み出し部１５０９は、学習辞書から語句のレコード（例えば、読み方と優先順位とを含む。）を読み出す。候補変換部１５１１は、学習辞書を用いた候補に基づいて変換を行う。標準変換部１５１３は、学習辞書を用いた候補によらない変換を行う。出力部１５１５は、変換結果を内部的に出力する。つまり、携帯電話端末１１００の内部モジュールであるかな漢字変換部１２０５の外に出力することを意味する。具体的には、変換結果は、メール編集部１２０１に渡される。以上で、かな漢字変換部１２０５と辞書格納部１２０７とのモジュール構成についての説明を終える。
【００８４】
続いて、かな漢字変換処理について説明する。図１６に、かな漢字変換処理フローの例を示す。イベント受付部１５０１は、オペレーティングシステム１２１５からイベントを受け付ける（Ｓ１６０１）。イベント受付部１５０１は、受け付けたイベントがかな文字であるか否かを判定する（Ｓ１６０３）。受け付けたイベントがかな文字であると判定した場合には、抽出部１５０７は、候補抽出処理を行う（Ｓ１６０５）。
【００８５】
候補抽出処理について説明する。図１７に、候補抽出処理フローの例を示す。イベント受付部１５０１は、受け付けたかな文字を受付文字バッファ１５０３に追加する（Ｓ１７０１）。抽出部１５０７は、指定されている学習辞書の種類が「読み指定用学習辞書」であるか、あるいは「通常の学習辞書」であるかを判定する（Ｓ１７０３）。
【００８６】
指定されている学習辞書の種類が「読み指定用学習辞書」であると判定した場合には、抽出部１５０７は、読み指定用学習辞書ＩＤにより特定される読み指定用学習辞書１５２３から語句を抽出する（Ｓ１７０５）。具体的には、抽出部１５０７は、受付文字バッファ１５０３に記憶されているかな文字あるいはかな文字列を前方一致条件として読み指定用学習辞書１５２３を検索し、語句を抽出する。
【００８７】
抽出部１５０７は、抽出した語句について、順次以下の処理を繰り返す（Ｓ１７０７）。読み出し部１５０９は、読み指定用学習辞書１５２３から当該語句についてのレコードを読み出す（Ｓ１７０９）。表示部１５０５は、当該語句を表示する（Ｓ１７１１）。表示部１５０５は、更に、レコードに含まれる優先順位を表示する（Ｓ１７１３）。例えば、表示部１５０５は、優先順位を丸括弧で囲んで表示する。表示部１５０５は、更に、レコードに含まれる読み方を表示する（Ｓ１７１５）。例えば、表示部１５０５は、読み方をかぎ括弧で囲んで表示する。表示部１５０５は、同一の語句同士については、互いに接近するように配置してもよい。更に、表示部１５０５は、優先順位の小さい方の語句を前に表示するようにしてもよい。あるいは、表示部１５０５は、優先順位の小さい方の語句を強調して表示するようにしてもよい。強調する表示方法としては、例えば文字サイズを大きくし、あるいは他の文字と異なる色にするなどの方法が考えられる。
【００８８】
抽出部１５０７は、未処理の語句があるか否かを判定する（Ｓ１７１７）。未処理の語句があると判定した場合には、Ｓ１７０７に戻り処理を続行する。未処理の語句がないと判定した場合には、候補抽出処理を終える。
【００８９】
Ｓ１７０３において、指定されている学習辞書の種類が「通常の学習辞書」であると判定した場合には、抽出部１５０７は、通常の学習辞書１５２１から語句を抽出する（Ｓ１７１９）。具体的には、抽出部１５０７は、受付文字バッファ１５０３に記憶されているかな文字あるいはかな文字列を前方一致条件として通常の学習辞書１５２１を検索し、語句を抽出する。
【００９０】
抽出部１５０７は、抽出した語句について、順次以下の処理を繰り返す（Ｓ１７２１）。表示部１５０５は、語句を表示する（Ｓ１７２３）。抽出部１５０７は、未処理の語句があるか否かを判定する（Ｓ１７２５）。未処理の語句があると判定した場合には、Ｓ１７２１に戻り処理を続行する。未処理の語句がないと判定した場合には、候補抽出処理を終える。尚、「通常の学習辞書」を用いる場合のメール編集画面５００は、例示していない。以上で、候補抽出処理についての説明を終える。
【００９１】
図１６に示したかな漢字変換処理フローの説明に戻って、候補抽出処理（Ｓ１６０５）を終えると、Ｓ１６０１の処理に戻る。
【００９２】
Ｓ１６０３において、受け付けたイベントがかな文字でないと判定した場合には、イベント受付部１５０１は、オペレーティングシステム１２１５から受け付けたイベントが候補語句の選択であるか否かを判定する（Ｓ１６０７）。オペレーティングシステム１２１５から受け付けたイベントが候補語句の選択であると判定すると、候補変換部１５１１は、候補変換処理を行う（Ｓ１６０９）。
【００９３】
候補変換処理について説明する。図１８に、候補変換処理フローの例を示す。候補変換部１５１１は、指定されている学習辞書の種類が「読み指定用学習辞書」であるか、あるいは「通常の学習辞書」であるかを判定する（Ｓ１８０１）。
【００９４】
指定されている学習辞書の種類が「読み指定用学習辞書」であると判定した場合には、出力部１５１５は、メール編集部１２０１へ読み方を含む読み指定開始タグを渡す（Ｓ１８０３）。このとき、出力部１５１５は、例えば「＜読み指定  読み＝」のコードと読み方と「＞」とのコードによって読み指定開始タグを生成する。
【００９５】
続けて、出力部１５１５は、メール編集部１２０１へ語句を渡し（Ｓ１８０５）、更に、メール編集部１２０１へ読み指定終了タグを渡す（Ｓ１８０７）。
【００９６】
候補変換部１５１１は、当該語句の読み方に対応する優先順位を更新する（Ｓ１８０９）。候補変換部１５１１は、例えば、当該読み方の優先順位を「１」とし、それに併せて他の読み方の優先順位を整える。あるいは、候補変換部１５１１は、読み方毎に変換された回数をカウントし、カウント順に優先順位を決定するようにしてもよい。
【００９７】
Ｓ１８０１において、指定されている学習辞書の種類が「通常の学習辞書」であると判定した場合には、出力部１５１５は、メール編集部１２０１へ語句の文字又は文字列を渡す（Ｓ１８１１）。そして、候補変換部１５１１は、当該語句の読み方に対応する優先順位を更新する（Ｓ１８１３）。更新の仕方は、Ｓ１８０９と同様である。以上で、候補変換処理についての説明を終える。
【００９８】
図１６に示したかな漢字変換処理フローの説明に戻って、候補変換処理（Ｓ１６０９）を終えると、かな漢字変換処理を終える。
【００９９】
一方、Ｓ１６０７において、オペレーティングシステム１２１５から受け付けたイベントが候補語句の選択でないと判定した場合には、イベント受付部１５０１は、オペレーティングシステム１２１５から受け付けたイベントが標準変換の指示であるか否かを判定する（Ｓ１６１１）。この標準変換は、学習辞書による候補を用いない通常の変換である。オペレーティングシステム１２１５から受け付けたイベントが標準変換の指示であると判定した場合には、標準変換部１５１３は、標準変換処理を行う（Ｓ１６１３）。
【０１００】
標準変換処理について説明する。図１９に、標準変換処理フローの例を示す。標準変換部１５１３は、標準辞書１５２５による変換を行う（Ｓ１９０１）。標準辞書１５２５による変換は従来技術に相当するので、詳しい説明は省略する。イベント受付部１５０１は、オペレーティングシステム１２１５から受け付けたイベントが「確定」の指示であるか、あるいは「取消」の指示であるかを判定する（Ｓ１９０３）。
【０１０１】
オペレーティングシステム１２１５から受け付けたイベントが「確定」の指示であると判定した場合には、出力部１５１５は、メール編集部１２０１へ変換された語句を渡す（Ｓ１９０５）。
【０１０２】
一方、オペレーティングシステム１２１５から受け付けたイベントが「取消」の指示であると判定した場合には、出力部１５１５は、メール編集部１２０１へ受付文字バッファ１５０３に記憶されているかな文字又はかな文字列を渡す（Ｓ１９０７）。以上で、標準変換処理についての説明を終える。
【０１０３】
図１６に示したかな漢字変換処理フローの説明に戻って、標準変換処理（Ｓ１６１３）を終えると、かな漢字変換処理を終える。
【０１０４】
一方、Ｓ１６１１において、オペレーティングシステム１２１５から受け付けたイベントが標準変換の指示でないと判定した場合には、オペレーティングシステム１２１５から受け付けたイベントが「終了」の指示であるか否かを判定する（Ｓ１６１５）。
【０１０５】
オペレーティングシステム１２１５から受け付けたイベントが「終了」の指示でないと判定した場合には、Ｓ１６０１の処理に戻る。一方、オペレーティングシステム１２１５から受け付けたイベントが「終了」の指示であると判定した場合には、出力部１５１５は、メール編集部１２０１へ受付文字バッファ１５０３に記憶されているかな文字又はかな文字列を渡す（Ｓ１６１７）。そして、かな漢字変換処理を終える。以上で、かな漢字変換処理についての説明を終える。
【０１０６】
図１４に示した本文設定処理フローの説明に戻って、本文設定部１２２７は、変換された語句、かな文字又はかな文字列をかな漢字変換部１２０５から受けたか否かを判定する（Ｓ１４１１）。変換された語句、かな文字又はかな文字列を受けたと判定した場合には、本文設定部１２２７は、本文バッファ１２４３にその語句、かな文字又はかな文字列を追加する（Ｓ１４１３）。
【０１０７】
更に、表示部１２１１は、本文を再表示する（Ｓ１４１５）。具体的には、表示部１２１１は、本文バッファ１２４３からデータを読み取り、本文ボックス５０５に表示させる。このとき、読み指定開始タグと読み指定終了タグとが含まれる場合には、読み指定開始タグと読み指定終了タグとは表示しない。但し、表示部１２１１は、読み指定開始タグと読み指定終了タグとにより囲まれた語句を特定し、当該語句の後ろに読み方を表示する。表示部１２１１は、例えば、「（読み：」と「）」で読み方を囲んで表示する。
【０１０８】
イベント判定部１２２１は、設定を終了する否かを判定する（Ｓ１４１７）。設定を終了しないと判定した場合には、Ｓ１４０９に戻り処理を続行する。設定を終了すると判定した場合には、本文設定処理を終え、図１３に示した全体処理フローのＳ１３０１に戻る。
【０１０９】
図１３に示した全体処理フローの説明に戻って、Ｓ１３０５において、本文ボックス５０５が選択されていないと判定した場合には、イベント判定部１２２１は、オペレーティングシステム１２１５から取得したイベントに基づいて、題名ボックス５０３が選択されたか否かを判定する（Ｓ１３０９）。題名ボックス５０３が選択されたと判定した場合には、題名設定部１２２９は、題名設定処理を行う（Ｓ１３１１）。
【０１１０】
次に、題名設定処理について説明する。図２０に、題名設定処理フローの例を示す。Ｓ１４０１乃至Ｓ１４０９、及びＳ１４１７の処理については、図１４に示した本文設定処理フローの場合と同様である。
【０１１１】
Ｓ１４１１においては、題名設定部１２２９は、変換された語句、かな文字又はかな文字列をかな漢字変換部１２０５から受けたか否かを判定する。変換された語句、かな文字又はかな文字列を受けたと判定した場合には、題名設定部１２２９は、題名バッファ１２４５にその語句、かな文字又はかな文字列を追加する（Ｓ２００１）。
【０１１２】
更に、表示部１２１１は、題名を再表示する（Ｓ２００３）。具体的には、表示部１２１１は、題名バッファ１２４５からデータを読み取り、題名ボックス５０３に表示させる。このとき、読み指定開始タグと読み指定終了タグとが含まれる場合には、読み指定開始タグと読み指定終了タグとは表示しない。但し、表示部１２１１は、読み指定開始タグと読み指定終了タグとにより囲まれた語句を特定し、当該語句の後ろに読み方を表示する。表示部１２１１は、例えば、「（読み：」と「）」で読み方を囲んで表示する。以上で、題名設定処理についての説明を終える。
【０１１３】
図１３に示した全体処理フローの説明に戻って、題名設定処理を終了するとＳ１３０１の処理に戻る。イベント判定部１２２１は、オペレーティングシステム１２１５から取得したイベントに基づいて、送信ボタンが選択されたか否かを判定する（Ｓ１３１３）。送信ボタンが選択されたと判定した場合には、送信部１２１３は、メール送信処理を行う（Ｓ１３１５）。送信部１２１３は、メール記憶部１２０９に記憶されているメールのデータをインターネットに向けて送出する。メール送信処理を行うと、全体の処理を終える。
【０１１４】
一方、Ｓ１３１３において、送信ボタンが選択されていないと判定した場合には、イベント判定部１２２１は、オペレーティングシステム１２１５から取得したイベントに基づいて、取消ボタンが選択されたか否かを判定する（Ｓ１３１７）。取消ボタンが選択されていないと判定した場合には、Ｓ１３０１の処理に戻る。一方、取消ボタンが選択されていると判定した場合には、メール記憶部１２０９に記憶されているメールのデータを破棄して、全体の処理を終える。以上で、本実施の形態における処理の説明を終える。
【０１１５】
上述の例では、同じ語句に対する複数の読み方がある場合に、例えば「白石（１）『しろいし』」と「白石（２）『しらいし』」とのように、それぞれに語句と読み方との組み合わせを表示する例を示した。但し、「白石（１）『しろいし』／（２）『しらいし』」のように、語句を一つ表示し、それに併せて複数の読み方を表示するようにしてもよい。その場合には、読み方が選択されると、その語句と読み方とを特定するようにしてもよい。
【０１１６】
本実施の形態によれば、入力された文字から変換される語句が複数の読み方を有する場合には、当該語句とその複数の読み方との対応付けが表示されるので、当該語句に対する読み方を指定するための操作が簡単になる。
【０１１７】
また、優先順位に基づいて複数の読み方を表示するので、優先される読み方を選択しやすくできる。
【０１１８】
また、メールの宛先に応じて読み方指定を行うので、宛先の者が受信メールの自動読み上げ機能を利用している場合に読み方を指定するようにできる。
【０１１９】
また、宛先に基づいて読み指定用学習辞書を特定するので、メールの宛先に適した読み方を指定しやすくなる。
【０１２０】
以上本技術の一実施の形態を説明したが、本技術はこれに限定されるものではない。例えば、上述の機能ブロック構成は実際のプログラムモジュール構成に一致しない場合もある。
【０１２１】
また、上で説明した各記憶領域の構成は一例であって、上記のような構成でなければならないわけではない。さらに、処理フローにおいても、処理結果が変わらなければ処理の順番を入れ替えることも可能である。さらに、並列に実行させるようにしても良い。
【０１２２】
以上述べた実施の形態をまとめると、以下のようになる。
【０１２３】
一態様の変換方法は、特定の語句に異なる複数の読み方を対応付けて格納するデータ格納部を有する情報処理装置により実行され、（Ａ）入力された文字を条件としてデータ格納部を検索して特定の語句が抽出されると、データ格納部から特定の語句に対応付けられている複数の読み方を読み出す処理と、（Ｂ）特定の語句と、読み出された複数の読み方との対応付けを表示する表示処理と、（Ｃ）複数の読み方のうちいずれかの読み方がユーザにより選択されると、特定の語句と、選択された読み方を指定するための情報とを出力する処理とを含む。
【０１２４】
このようにすれば、入力された文字から変換される語句が複数の読み方を有する場合には、当該語句とその複数の読み方との対応付けが表示されるので、当該語句に対する読み方を指定するための操作が簡単になる。
【０１２５】
また、データ格納部において複数の読み方の各々に優先度が定められている場合に、上記表示処理において、優先度に基づいて複数の読み方を表示するようにしてもよい。
【０１２６】
このようにすれば、優先される読み方を選択しやすくできる。
【０１２７】
また、メールの宛先の入力又は選択を受け付けるようにしてもよい。更に、宛先に基づいて、上記各処理を行うか否かを判定するようにしてもよい。
【０１２８】
このようにすれば、メールの宛先に応じて読み方指定を行うようにできる。例えば、宛先の者が受信メールの自動読み上げ機能を利用している場合に、読み方を指定するようにする。
【０１２９】
また、宛先に基づいて検索対象となるデータ格納部を特定するようにしてもよい。
【０１３０】
このようにすれば、メールの宛先に適した読み方を指定しやすくなる。
【０１３１】
なお、上記処理をプロセッサに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【０１３２】
以上の実施例を含む実施形態に関し、さらに以下の付記を開示する。
【０１３３】
（付記１）
特定の語句に異なる複数の読み方を対応付けて格納するデータ格納部を有する情報処理装置に、
入力された文字を条件として前記データ格納部を検索して前記特定の語句が抽出されると、前記データ格納部から前記特定の語句に対応付けられている前記複数の読み方を読み出す処理と、
前記特定の語句と、読み出された前記複数の読み方との対応付けを表示する表示処理と、
前記複数の読み方のうちいずれかの読み方がユーザにより選択されると、前記特定の語句と、選択された前記読み方を指定するための情報とを出力する処理と
を実行させるためのプログラム。
【０１３４】
（付記２）
前記データ格納部において前記複数の読み方の各々に優先度が定められている場合に、前記表示処理において、前記優先度に基づいて前記複数の読み方を表示する
付記１記載のプログラム。
【０１３５】
（付記３）
更に、
メールの宛先の入力又は選択を受け付け、
前記宛先に基づいて、前記各処理を行うか否かを判定する
付記１又は２記載のプログラム。
【０１３６】
（付記４）
更に、
前記宛先に基づいて検索対象となる前記データ格納部を特定する
付記３記載のプログラム。
【０１３７】
（付記５）
特定の語句に異なる複数の読み方を対応付けて格納するデータ格納部を有する情報処理装置により実行される変換方法であって、
入力された文字を条件として前記データ格納部を検索して前記特定の語句が抽出されると、前記データ格納部から前記特定の語句に対応付けられている前記複数の読み方を読み出す処理と、
前記特定の語句と、読み出された前記複数の読み方との対応付けを表示する表示処理と、
前記複数の読み方のうちいずれかの読み方がユーザにより選択されると、前記特定の語句と、選択された前記読み方を指定するための情報とを出力する処理と
を含む変換方法。
【０１３８】
（付記６）
特定の語句に異なる複数の読み方を対応付けて格納するデータ格納部と、
入力された文字を条件として前記データ格納部を検索して前記特定の語句が抽出されると、前記データ格納部から前記特定の語句に対応付けられている前記複数の読み方を読み出す読み出し部と、
前記特定の語句と、読み出された前記複数の読み方との対応付けを表示する表示部と、
前記複数の読み方のうちいずれかの読み方がユーザにより選択されると、前記特定の語句と、選択された前記読み方を指定するための情報とを出力する出力部と
を有する情報処理装置。
【符号の説明】
【０１３９】
５００  メール編集画面      ５０１  宛先ボックス
５０３  題名ボックス      ５０５  本文ボックス
５０７  候補ボックス      ５０９  取消ボタン
５１１  送信ボタン      １１００  携帯電話端末
１１０１  プロセッサ      １１０３  記憶部
１１１１  アンテナ      １１１３  無線制御部
１１１５  オーディオ制御部      １１１７  スピーカ
１１１９  マイク      １１２１  ディスプレイ
１１２３  タッチパッド      １１２５  キー群
１２０１  メール編集部      １２０３  アドレス帳記憶部
１２０５  かな漢字変換部      １２０７  辞書格納部
１２０９  メール記憶部      １２１１  表示部
１２１３  送信部      １２１５  オペレーティングシステム
１２２１  イベント判定部      １２２３  辞書判定部
１２２５  宛先受付部      １２２７  本文設定部
１２２９  題名設定部      １２４１  宛先バッファ
１２４３  本文バッファ      １２４５  題名バッファ
１５０１  イベント受付部      １５０３  受付文字バッファ
１５０５  表示部      １５０７  抽出部
１５０９  読み出し部      １５１１  候補変換部
１５１３  標準変換部      １５１５  出力部
１５２１  通常の学習辞書      １５２３  読み指定用学習辞書
１５２５  標準辞書
【図１】
2014191587.tif 000003
【図２】
2014191587.tif 000004
【図３】
2014191587.tif 000005
【図４】
2014191587.tif 000006
【図５】
2014191587.tif 000007
【図６】
2014191587.tif 000008
【図７】
2014191587.tif 000009
【図８】
2014191587.tif 000010
【図９】
2014191587.tif 000011
【図１０】
2014191587.tif 000012
【図１１】
2014191587.tif 000013
【図１２】
2014191587.tif 000014
【図１３】
2014191587.tif 000015
【図１４】
2014191587.tif 000016
【図１５】
2014191587.tif 000017
【図１６】
2014191587.tif 000018
【図１７】
2014191587.tif 000019
【図１８】
2014191587.tif 000020
【図１９】
2014191587.tif 000021
【図２０】
2014191587.tif 000022